(57)【要約】【課題】画像情報を読み取って電子メールまたはファクシミリとして送信する際に、電子メールに送信者の電子メールアドレス、ファクシミリに送信者のＴＳＩ情報を簡単な方法で付与して送信することが可能な画像読取装置を実現する。【解決手段】画像情報読取部１０５で読み取られ、送信用に変換された送信画像情報に付与される送信元特定情報として、利用者識別情報記憶部１０４に記憶されているこの画像読取装置の操作者を識別するための利用者識別情報を用いる。【選択図】図１
2010114715.tif 000002
【特許請求の範囲】
【請求項１】
通信回線に接続され、読み取った画像情報を送信元特定情報を付与した送信画像情報に変換して送信する画像読取装置において、
前記送信元特定情報に、利用者識別情報記憶部に記憶されているこの画像読取装置の操作者を識別するための利用者識別情報を用いる制御部を備えることを特徴とする画像読取装置。
【請求項２】
前記画像情報を読み取る画像情報読取部と、
前記利用者識別情報又はその少なくとも１項目を入力情報として入力する利用者情報入力部とを備え、
前記制御部は、
前記利用者情報入力部に入力された前記入力情報に対応する前記利用者識別情報が前記利用者識別情報記憶部に記憶されているか否かを判別する判別部とをさらに備えることを特徴とする請求項１に記載の画像読取装置。
【請求項３】
前記制御部は、
前記画像情報読取部で読み取った画像を前記送信画像情報に変換すると共に、前記利用者識別情報記憶部に記憶された前記利用者識別情報の１項目を送信者アドレスとして付与する送信画像情報作成部をさらに備えることを特徴とする請求項２に記載の画像読取装置。
【請求項４】
前記制御部は、
前記判別部により、前記利用者情報入力部で入力された識別情報が前記利用者識別情報記憶部に記憶されていないと判別された場合、前記入力された識別情報を前記利用者識別情報記憶部に登録することを特徴とする請求項２に記載の画像読取装置。
【請求項５】
前記送信画像情報は、電子メール形式の画像情報であり、
前記送信画像情報作成部は前記送信画像情報に、前記利用者識別情報記憶部に前記利用者識別情報の１項目として記憶されている電子メールアドレスを前記送信者アドレスとして付与することを特徴とする請求項３に記載の画像読取装置。
【請求項６】
前記送信画像情報は、ファクシミリ形式の画像情報であり、
前記送信画像情報作成部は前記送信画像情報に、前記利用者識別情報記憶部に前記利用者識別情報の１項目として記憶されているＴＳＩ (Transmitter Subscriber Identification）情報を前記送信者アドレスとして埋め込むことを特徴とする請求項３に記載の画像読取装置。
【請求項７】
前記制御部は、
前記判別部により、前記利用者情報入力部で入力された前記利用者識別情報の１項目に対応する前記電子メールアドレス又は前記ＴＳＩ情報が前記利用者識別情報記憶部に記憶されていないと判別された場合、前記送信者アドレスとして、デフォルトで使用する前記電子メールアドレス又は前記ＴＳＩ情報を前記利用者識別情報記憶部から読み出して用いることを特徴とする請求項２乃至請求項６の何れか１項に記載の画像読取装置。
【請求項８】
前記利用者情報入力部は、記憶媒体から情報を読み取る記憶媒体読取手段であることを特徴とする請求項２乃至請求項７の何れか１項に記載の画像読取装置。
【請求項９】
前記記憶媒体は、ＩＤカードであり、
前記記憶媒体読取手段はカードリーダであることを特徴とする請求項８に記載の画像読取装置。
【請求項１０】
前記記憶媒体は、ＵＳＢメモリであり、
前記記憶媒体読取手段はＵＳＢメモリリーダであることを特徴とする請求項８に記載の画像読取装置。                                                                  
【請求項１１】
前記利用者情報入力部は、操作者が情報を入力するキーボードであることを特徴とする請求項２乃至請求項７の何れか１項に記載の画像読取装置。
【請求項１２】
前記利用者情報入力部は、前記画像情報中の文字情報を認識するＯＣＲ手段であることを特徴とする請求項２乃至請求項７の何れか１項に記載の画像読取装置。
【請求項１３】
前記利用者情報入力部は、前記画像情報中のバーコードから情報を認識するバーコードリーダであることを特徴とする請求項２乃至請求項７の何れか１項に記載の画像読取装置。                                                                            
【請求項１４】
通信回線に接続され、読み取った画像情報を送信画像情報に変換して送信する画像読取装置の制御部のコンピュータで実行させる制御プログラムであって、
利用者識別情報を取り込む識別情報取り込み機能と、
前記識別情報取り込み機能で取り込んだ前記利用者識別情報が利用者識別情報記憶部に記憶されているか否かを判別する判別機能と、
前記判別機能で記憶されていないと判定されたとき、取り込んだ前記利用者識別情報を利用者識別情報記憶部に記憶する利用者識別情報記憶機能と、
送信すべき原稿を走査して原稿の画像情報を取り込む画像情報取り込み機能と、
前記画像情報取り込み機能で取り込んだ前記画像情報を送信可能な形式の送信画像情報に変換する画像情報変換機能と、
前記画像情報変換機能で変換された前記送信画像情報に前記識別情報取り込み機能で取り込んだ前記利用者識別情報に対応する送信元特定情報を前記利用者識別情報記憶部から読み出して付与し送信する送信機能と
をコンピュータに実行させることを特徴とする制御プログラム。
【発明の詳細な説明】
【技術分野】
【０００１】
本発明は、画像読取装置及びその画像情報送信プログラムに関し、特に読み取った画像を電子メール形式またはファックス形式で送信する画像読取装置及びその制御プログラムに関する。
【背景技術】
【０００２】
電子メ−ルは、パ−ソナルコンピュータ上に作成したワ−プロの文書ファイルや画像ファイル等の別ファイルを、電子メ−ルで送信できるテキストコ−ド形式の添付ファイルとして電子メ−ルサ−バと呼ばれるコンピュータに蓄積して送信処理することができるようになっている。この場合、添付書類として処理されるファイルはパ−ソナルコンピュータ上の電子デ−タファイルであるため、記録紙に記載された画像を電子メ−ルとして送信するには、この画像をパ−ソナルコンピュータに取り込み電子デ−タ変換する必要がある。
従来の電子メ−ルシステムでは、スキャナによって記録紙に記載された原稿画像を読取り、パ−ソナルコンピュータ上に１つの画像ファイルを作成し、電子メ−ルのアプリケ−ションソフト上で電子メ−ルの宛先名を設定し、先に作成した画像ファイルのファイル名を電子メ−ルのアプリケ−ションソフト上の添付書類として設定する。電子メールは、以上の準備が完了した後、送信の指示をすると、記録紙に記載された画像デ−タが電子メ−ルサ−バ上に電子メ−ルの添付ファイルとして蓄積されるように構成されている。
【０００３】
しかし、このような方法は、不慣れな者には扱い難いという問題があった。相手側がファクシミリ装置を持つておらず、電子メ−ルシステムしか使用できない状況の場合は、前記したような手順で画像を送信するしかなく、大変不便であった。
【０００４】
このような問題を解決するため、ファクシミリ装置に、画像読取手段から出力された画像デ−タのコ−ドを電子メ−ルで扱うことができるコ−ドに変換する手段を設け、変換された画像デ−タを電子メ−ルとして、設定されたアドレスへ伝送する装置の例が開示されている（特許文献１参照）。
【特許文献１】特開平１０−２５７２２７号公報
【発明の開示】
【発明が解決しようとする課題】
【０００５】
しかしながら、ファクシミリ装置は、通常複数の操作者が共通に用いる場合が多く、装置自身に送信元のアドレスが固定的に設けられている場合が多かった。
このため、特許文献１に開示された装置では、送信元の電子メールアドレスが予めファクシミリ装置に固定されたアドレスとなってしまい、同一のファクシミリ装置を複数の操作者が利用する場合に、この装置からの電子メールを受信した側では、実際には誰が送信したものか判断できないという問題があった。
【０００６】
本発明は、このような問題を解決するためになされたものであり、送信元の操作者を識別することができる画像読取装置及びその制御プログラムを提供することを目的とする。
【課題を解決するための手段】
【０００７】
前記目的を達成するために、本発明の画像読取装置は、通信回線に接続され、読み取った画像情報を送信元特定情報（例えば、メールアドレス、送信元ＦＡＸ番号、ユーザＴＳＩ情報）を付与した送信画像情報に変換して送信する画像読取装置において、前記送信画像情報に付与される送信元特定情報に、利用者識別情報記憶部に記憶されているこの画像読取装置の操作者を識別するための利用者識別情報を用いる制御部を備えることを特徴とする。
【０００８】
本発明の画像読取装置により、受信側で送信元の操作者を識別することができる。また、通信回線を利用して送信画像情報を受信する受信装置を含んだ画像通信システムが構築される。なお、利用者識別情報は、入力手段を用いて入力されてもよく、読み取った画像情報に含まれる情報であってもよい。
【０００９】
また、本発明の画像読取装置は、前記画像情報を読み取る画像情報読取部と、前記利用者識別情報又はその少なくとも１項目を入力情報として入力する利用者情報入力部とを備え、前記制御部は、前記利用者識別情報記憶部と、前記利用者情報入力部に入力された前記入力情報に対応する前記利用者識別情報が前記利用者識別情報記憶部に記憶されているか否かを判別する判別部とをさらに備えることを特徴とする。
【００１０】
そして、前記制御部は、前記画像情報読取部で読み取った画像を前記送信画像情報に変換すると共に、前記利用者識別情報記憶部に記憶された前記利用者識別情報の１項目を送信者アドレスとして付与する送信画像情報作成部をさらに備えることを特徴とする。
【００１１】
また、前記制御部は、前記判別部により、前記利用者情報入力部で入力された識別情報が前記利用者識別情報記憶部に記憶されていないと判別された場合、前記入力された識別情報を前記利用者識別情報記憶部に登録することを特徴とする。
【００１２】
また、前記課題を解決するため、本発明の制御プログラムは、通信回線に接続され、読み取った画像情報を送信画像情報に変換して送信する画像読取装置の制御部のコンピュータで実行させる制御プログラムであって、利用者識別情報を取り込む識別情報取り込み機能と、前記識別情報取り込み機能で取り込んだ前記利用者識別情報が利用者識別情報記憶部に記憶されているか否かを判別する判別機能と、前記判別機能で記憶されていないと判定されたとき、取り込んだ前記利用者識別情報を利用者識別情報記憶部に記憶する利用者識別情報記憶機能と、送信すべき原稿を走査して原稿の画像情報を取り込む画像情報取り込み機能と、前記画像情報取り込み機能で取り込んだ前記画像情報を送信可能な形式の送信画像情報に変換する画像情報変換機能と、前記画像情報変換機能で変換された前記送信画像情報に前記識別情報取り込み機能で取り込んだ前記利用者識別情報に対応する送信元特定情報を前記利用者識別情報記憶部から読み出して付与し送信する送信機能とをコンピュータに実行させることを特徴とする。
【発明の効果】
【００１３】
本発明の画像読取装置及びその制御プログラムによれば、受信元で送信元の操作者を識別することができる効果を奏する。
具体的には、画像読取装置は、原稿画像を読み取って電子メールやファクシミリとして送信できる方式に変換し、電子メールに送信者の電子メールアドレス、そして、ファクシミリに送信者のＴＳＩ情報等を付与して送信するので、受信側では操作した送信元の送信者を識別することができる。また、制御プログラムは、前記発明の画像読取装置で必要な画像情報の読取、送信、送信元情報の付与などの機能を画像読取装置のコンピュータに実行させることができる。
【発明を実施するための最良の形態】
【００１４】
以下、図面を参照して、この発明の画像読取装置及びその制御プログラムの実施形態について説明する。なお、これらの図面は本発明が理解できる程度に概略的に示してあり、以下に説明する条件等は単なる好適例であり、本発明はこれらの実施形態にのみ何ら限定されるものではない。
【００１５】
（第１の実施形態）
図１は、本発明の第１の実施形態の画像読取装置１０の機能ブロック構成図である。
画像読取装置１０は、画像情報読取部１０５、利用者情報入力部１０７、ＬＡＮＩ／Ｆ１０９、操作パネル部１１０及び制御部１４０を備え、制御部１４０は、判別部１０１、主制御部１０２、送信画像情報作成部であるメール作成部１０３を備える。
【００１６】
そして、画像読取装置１０は、操作者の識別情報又はその一部を、ここでは操作者のＩＤカード１５０から読み取る利用者情報入力部１０７、利用者識別情報を記憶する利用者識別情報記憶部１０４、原稿をスキャンして画像情報を読み取る画像情報読取部１０５、読み取った識別情報がすでに利用者識別情報記憶部１０４に記憶されているか否かを判定する判別部１０１、画像情報読取部１０５で読み取った画像情報に所定の画像処理を行う画像処理部１０６、読み取り動作で処理された画像データを送信画像情報作成部であるメール作成部１０３で電子メールとして送付できるデータに変換する。
【００１７】
そして、画像読取装置１０は、利用者識別情報記憶部１０４から電子メールアドレスを読み出して電子メールに付与させるなど装置全体の制御を行う主制御部１０２、電子メールを作成する送信画像情報作成部であるメール作成部１０３、ホストであるコンピュータとの通信を行うインタフェースであって、作成された電子メールを外部に送出すると共に、外部からの制御情報を受け取るＬＡＮ（Local Area Network）に接続するＬＡＮＩ／Ｆ（Local Area Network Interface）１０９、画像読取装置１０の操作を行う操作パネル部１１０で構成される。
【００１８】
ＬＡＮＩ／Ｆ１０９は図２を参照して後記するＵＳＢＩ／Ｆ（Universal Serial Bus Interface）であっても良い。判別部１０１、主制御部１０２及び送信画像情報作成部であるメール作成部１０３は、ＲＯＭ１２２に記憶されたプログラムによって駆動され、ＣＰＵ１２１にて制御される。また、利用者識別情報記憶部１０４は、ＣＰＵ１２１にて制御され、ＲＡＭ１２３内に記憶される。
【００１９】
図２は、本実施形態の画像読取装置１０のハードウェアのブロック構成を示したものである。画像読取装置１０は、ＣＰＵ１２１、ＲＯＭ１２２、ＲＡＭ１２３、データ制御バス１２４、ＬＡＮＩ／Ｆ１０９、ＵＳＢＩ／Ｆ１２５、画像処理部１０６、アナログ／デジタル・コンバータ１２９（以下Ａ／Ｄコンバータ）、画像情報読取部１０５、モータ駆動回路１３１、モータ１３０、操作パネル部１１０、利用者情報入力部１０７で構成されている。
【００２０】
ＣＰＵ１２１は、画像読取装置１０各部の動作を制御する中央演算処理装置であって、不揮発メモリであるＲＯＭ１２２からプログラムを読み出して実行する。ＲＡＭ１２３は、ＣＰＵ１２１によってプログラムの実行やデータ演算に使われる揮発メモリである。そして、ＬＡＮＩ／Ｆ１０９及びＵＳＢＩ／Ｆ１２５は、データ制御バス１２４を介して、ホストである外部のコンピュータとの通信を行うインタフェースであって、読み取られた画像データを外部に送出すると共に、外部からの制御情報を受け取ってＣＰＵ１２１に通知する。
【００２１】
利用者情報入力部１０７は、画像読取装置１０を操作する操作者が使用するＩＤカード１５０（図１）に登録された情報を読み込むためのカードリーダである。ここでは、カードリーダの例を挙げたが使用するＩＤカード１５０の代替えとなる利用者識別情報記録媒体から利用者識別情報が読み出せるものであるならばカードリーダでなくても良い。例えば、利用者識別情報記録媒体がＵＳＢメモリであるならば、ここではＵＳＢメモリリーダとなる。また、液晶パネル１１２は、ＣＰＵ１２１に接続され、ＣＰＵ１２１の指示によって操作者にスキャナ状態・設定等の表示を行う。キースイッチ１１１は電源スイッチであり、ＣＰＵ１２１に接続されキーＯＮ動作を行うことにより画像読取装置１０の操作をスタートさせるスイッチである。
【００２２】
画像情報読取部１０５は、光源である冷陰極管１２６と、ＣＰＵ１２１の制御に基づいて冷陰極管を点灯させるための冷陰極管点灯回路１２７と、原稿から反射した光を集光して光電変換するＣＣＤイメージセンサ１２８とを備えて構成される。Ａ／Ｄコンバータ１２９は、光電変換された画像電圧信号を、デジタルデータに変換する。
【００２３】
画像処理部１０６は、Ａ／Ｄコンバータ１２９によりデジタルデータに変換されたものを受光素子のビット補正処理やガンマ補正などの画像処理を行う。モータ駆動回路１３１は、ＣＰＵ１２１からの制御されてモータ１３０を駆動するもので、モータ１３０の回転により画像情報読取部１０５が原稿に沿って動き、原稿全面を光電変換して画像データを得る様に構成されている。
【００２４】
図３は、本発明の第１の実施形態の画像読取装置１０の外観図である。
この画像読取装置１０は、原稿載置台１３５、原稿押圧板１３６、画像情報読取部１０５、操作パネル部１１０、及び、利用者情報入力部１０７で構成されている。ガラスなどの光透過部材で構成される原稿載置台１３５と原稿を挟んで原稿載置台１３５に押しあてる原稿押圧板１３６は、開閉自在に取り付けられている。また、画像情報読取部１０５は、原稿載置台１３５に載置された原稿を下面から走査して読み取るために画像読取装置１０本体内を移動する様に構成される。利用者情報入力部１０７は、利用者ＩＤカード１５０からの情報を読み取るためのものである。操作パネル１１０は、液晶パネル１１２とキースイッチ１１１と備えて構成される。
【００２５】
図４は、本実施形態の画像読取装置による電子メールの送信動作を説明するための動作フローチャートである。
本実施形態の画像読取装置による電子メールの送信動作について、動作フローチャート図４と機能ブロック構成図である図１とを用いて説明する。また、これらの動作はＲＯＭ１２２に記憶されている制御プログラムに基づいてＣＰＵ１２１の制御によって実行される。なお、制御プログラムの各機能については、その機能を果たす動作を示す箇所に機能名を入れて説明する。
【００２６】
まず、制御部１４０は、利用者情報入力部１０７にＩＤカード１５０がセットされたか否かを判定する（ステップＳｌ０ｌ）。ここで、ＩＤカード１５０は、図８のように利用者ＩＤ番号とパスワードと電子メールアドレスとが、予め書き込まれているものとする。利用者情報入力部１０７にＩＤカード１５０がセットされている場合（Yes）は、このＩＤカード１５０から、利用者ＩＤ番号とパスワード情報と操作者の電子メールアドレスからなる利用者識別情報を読み込む（ステップＳｌ０２：識別情報取り込み機能）。
【００２７】
次に、判定部１０１は、読み込んだ利用者識別情報が利用者識別情報記憶部１０４に登録されているか否かを判別する（ステップＳｌ０３：判別機能）。利用者識別情報記憶部１０４に登録されていない利用者識別情報であった場合（No）は、利用者識別情報記憶部１０４に、利用者情報入力部３０８に入力されたＩＤカード１５０から読み出した利用者ＩＤ番号とパスワード情報と操作者の電子メールアドレスとからなる利用者識別情報を利用者識別情報記憶部１０４に登録する（ステップＳｌ０４：利用者識別情報記憶機能）。また、読み込んだ情報が利用者識別情報記憶部１０４に登録されている利用者識別情報であった場合（Yes）は、利用者識別情報の修正で無い限り識別情報記憶部１０４に対して追加登録は行わない（ステップＳ１０５）。
【００２８】
このパスワード情報は、パスワードそのものであっても良いし、パスワードを特定できる情報であればパスワード自身でなくとも良い。例えば、暗号化されたパスワードや、パスワード自身は装置内に識別インデックスと対応して記憶され、その対応する識別インデックスが入力される場合であっても良い。
【００２９】
次に、送信先の宛て先が入力されて、操作パネル部１１０にあるスタートボタンが押下されたか否かを確認する（ステップＳｌ０６）。送信先の宛て先が入力されて、操作パネル部１１０にあるスタートボタンが押下される（Yes）と、画像読取部１０５は、原稿載置台１３５上に載置された原稿を読み込む読取動作を開始する（ステップＳｌ０７：画像情報取り込み機能）。
【００３０】
以下に、このときの読取動作を図２と図３を用いて説明する。
ＣＰＵ１２１は、モータ駆動回路１３１にモータ１３０の駆動を指示し、モータ１３０を回転させ、画像情報読取部１０５を原稿載置台１３５に沿って動かす。これにより、原稿載置台１３５上にある原稿が、ＣＣＤイメージセンサ１２８によって順次走査され、所定の位置まで画像情報読取部１０５を動かすことにより、原稿の全面の画像が読み取られる。
【００３１】
画像読取動作は、ＣＰＵ１２１が冷陰極管点灯回路１２７に冷陰極管１２６の点灯を指示し、冷陰極管１２６を点灯させると共に、画像処理部１０６に処理の開始を指示することによって実行される。冷陰極管１２６が点灯されると、冷陰極管１２６で発生した光は原稿載置台上に載置された原稿面に照射され、原稿面から反射した光が、画像情報読取部１０５内の図示しない鏡面によって反射された後、図示しないレンズによりＣＣＤイメージセンサ１２８に集光されて、ＣＣＤイメージセンサ１２８により光電変換される。
【００３２】
画像処理部１０６は、ＣＰＵ１２１により処理の開始を指示されると、Ａ／Ｄコンバータ１２９とＣＣＤイメージセンサ１２８に起動をかける。ＣＣＤイメージセンサ１２８は、受光した光量に応じた電圧を発生させ、Ａ／Ｄコンバータ１２９は、ＣＣＤイメージセンサ１２８から受け取った電圧をデジタル値に変換する。デジタル値に変換された画像データは、画像処理部１０６においてビット補正等の所定の画像処理を施される。以上が読取動作である。
【００３３】
読取動作が終了した後、制御部１０２は、前記読取動作で処理された画像データをメール作成部１０３にて電子メールで送付できるデータに変換する（画像情報変換機能）。そして送信元として付加する情報として利用者ＩＤカード１５０から読み取って利用者識別情報記憶部１０４に記憶された利用者識別情報中の電子メールアドレスを読み出して送信元アドレスに設定して電子メールを送信する。
【００３４】
電子メールの送信は、電子メールを送信するプロトコルの代表的なものとしての、ＩＥＴＦ（The Internet Engineeing Task Force）が発行するインターネットの技術や仕様に関する文書ＲＦＣ８２１で定義されているＳＭＴＰプロトコル(Simple Mail Transfer Protocol)を用いて行われる。このＳＭＴＰプロトコルでは、図９に示したフォーマットで電子メールのヘッダを規定している。
【００３５】
このフォーマットに基づき、利用者ＩＤカード１５０から読み取った識別情報に対応する電子メールアドレスを利用者識別情報記憶部１０４（図１）から読み出して「From」に設定し、同様に送信先メールアドレスを利用者識別情報記憶部１０４から読み出して「To」に設定し、図示しない時計回路により日付けデータを読み出して「Date」に設定し、このヘッダをつけて電子メールを送信する（ステップＳｌ０８：送信機能）。ここではＳＭＴＰを例にあげたが、電子メールを送信するプロトコルであればプロトコルの種類は特に問わない。
【００３６】
図４に戻って、ステップＳｌ０ｌで利用者情報入力部１０７にＩＤカード１５０がセットされない場合（No）は、操作パネル１１０から利用者ＩＤ番号とパスワードが入力されたか否かを確認する（ステップＳｌ０９：識別情報取り込み機能）。ステップＳｌ０９で利用者ＩＤ番号とパスワードが入力された場合（有）は、入力された利用者ＩＤ番号とパスワードに対応する利用者識別情報が利用者識別情報記憶部１０４にあるか否かを判別部１０１にて判別する（ステップＳｌ１０：判別機能）。
【００３７】
入力された利用者ＩＤ番号とパスワードが利用者識別情報記憶部１０４に記憶されているデータと一致した場合（有）は、送信先の宛て先が操作パネル部１１０から入力されて、操作パネル部１１０にあるスタートボタンが押下されたか否かを確認する（ステップＳｌ１４）。操作パネル部１１０から送信先の宛て先が入力されて、操作パネル部１１０にあるスタートボタンが押下される（Yes）と、画像読取部１０５にて、原稿載置台１３５上に載置された原稿を読み取る読取動作をスタートさせる（ステップＳｌ１５：画像情報取り込み機能）。なお、原稿を読み取る読取動作は前記の図２と図３とを用いて説明している動作と同様のため、ここでは説明を省略する。
【００３８】
読取動作が終了した後、主制御部１０２により前記読取動作で処理された画像データを送信画像情報作成部であるメール作成部１０３で電子メールで送付できるデータに変換する（画像情報変換機能）。そして、送信元として付加する情報として、利用者ＩＤ番号に対応した利用者識別情報の電子メールアドレスを利用者識別情報記憶部１０４より読み出し、この電子メールアドレスを「From」に設定し、ステップＳｌ１４で入力された送信先メールアドレスを「To」に設定し、時計回路より日付けデータを読み出し「Date」に設定し、前記ＳＭＴＰプロトコルに準拠して電子メールを送信する。ここではＳＭＴＰを例にあげたが、電子メールを送信するプロトコルであればプロトコルの種類については問わない（ステップＳｌ１６：送信機能）。
【００３９】
一方、ステップＳｌ０９で利用者ＩＤ番号とパスワードが入力されない場合（無）は、操作パネル部１１０から送信先の宛先が入力されて、操作パネル部１１０にあるスタートボタンが押下されたか否かを確認する（ステップＳｌ１１）。操作パネル部１１０から送信先の宛て先が入力されて、操作パネル部１１０にあるスタートボタンが押下される（Yes）と、画像情報読取部１０５にて、原稿載置台１３５上に載置された原稿の読み込み動作がスタートされる（ステップＳｌ１２：画像情報取り込み機能）。原稿を読み取る読取動作は前記の図２と図３とを用いて説明している動作と同様のため、ここでは説明を省略する。
【００４０】
読取動作が終了した後、制御部１０２により前記読取動作で処理された画像データを送信画像情報作成部であるメール作成部１０３にて電子メールで送付できるデータに変換する。送信元として付加する情報としての送信元のメールアドレスをデフォルトで登録してある送信元メールアドレスを利用者識別情報記憶部１０４より読み出し、読み出した電子メールアドレスを「From」に設定し、ステップＳ１１１で入力された送信先メールアドレスを「To」に設定し、図示していない時計回路により読み込んだ時刻を「Date」に設定し、ＳＭＴＰプロトコルにて電子メールを送信する。ここではＳＭＴＰを例にあげたが、電子メールを送信するプロトコルであればプロトコルの種類については問わない。そうして、電子メールを送信する（ステップＳｌ１３：送信機能）。
【００４１】
また、ステップＳ１１０で入力された利用者ＩＤ番号に対応する利用者識別情報が利用者識別情報記憶部１０４にない場合（無）は、ステップＳｌ１１に進み、以降、前記説明したと同様の処理が行われる。
【００４２】
この実施形態の画像読取装置１０によれば、画像情報読取部１０５で読み取った画像情報を電子メール形式に変換し、利用者識別情報記憶部１０４に登録されている操作者の電子メールアドレスを付与して送信することができるので、画像情報の送信が容易であり、受信側で送信元の操作者を識別することができる効果を奏する。
【００４３】
（第２の実施形態）
次いで本発明の第２の実施形態について説明する。この実施形態の画像読取装置２０は、画像情報をファクシミリ送信する機能を有している。なお、第２の実施形態の画像読取装置２０の外観図は、図３に示した第１の実施形態の画像読取装置１０の概観図と同様である。
【００４４】
図５は、本実施形態の画像読取装置２０の機能ブロック構成図である。
この画像読取装置２０は、受信側で送信元の操作者を識別可能な送信元の操作者の識別情報又はその一部を、ここでは利用者ＩＤカード１５０から読み取る利用者情報入力部１０７、利用者識別情報を記憶する利用者識別情報記憶部１０４、読み取った識別情報がすでに利用者識別情報記憶部１０４に記憶されているか否かを判定する判別部１０１、原稿をスキャンして画像情報を読み取る画像情報読取部１０５、画像情報読取部１０５で読み取った画像情報に所定の画像処理を行う画像処理部１０６、画像処理された画像デジタルデータに操作者のＴＳＩ情報を埋め込むＴＳＩ埋込部２０１、利用者識別情報記憶部１０４からＴＳＩ情報を読み出してＴＳＩ埋込部２０１に送ると共にＴＳＩ情報を埋め込んだ画像情報を送信画像情報作成部であるモデム部２０２に送る等の装置全体の制御を行う主制御部１０２、画像処理されたデジタルデータを通信回線に伝送するアナログ信号に変換する送信画像情報作成部であるモデム部２０２、このモデム部２０２でアナログ信号に変換された信号を電話回線に接続するＮＣＵ部２０３及び画像読取装置１０の操作を行う操作パネル部１１０を備えて構成される。
判別部１０１、主制御部１０２及びＴＳＩ埋込部２０１は、後述するＲＯＭ１２２に記憶されたプログラムによって駆動され、ＣＰＵ１２１にて制御される。利用者識別情報記憶部１０４は、ＣＰＵ１２１にて制御され、ＲＡＭ１２３内に記憶される。
【００４５】
図６は、第２の実施形態の画像読取装置２０のハードウエアのブロック構成を示したものである。画像読取装置２０は、ハードウエア的には、ＣＰＵ１２１、ＲＯＭ１２２、ＲＡＭ１２３、データ制御バス１２４、ＵＳＢＩ／Ｆ１２５、モデム部２０２、ＮＣＵ部２０３、画像処理部１０６、Ａ／Ｄコンバータ１２９、画像情報読取部１０５、モータ駆動回路１３１、モータ１３０、操作パネル部１１０、利用者情報入力部１０７で構成されている。
【００４６】
ＣＰＵ１２１は、本実施形態の画像読取装置２０の各部の動作を制御する中央演算処理装置であって、不揮発メモリであるＲＯＭ１２２からプログラムを読み出して実行する。ＲＡＭ１２３は、ＣＰＵ１２１によってプログラムの実行やデータ演算に使われる揮発性メモリである。ＵＳＢＩ／Ｆ１２５は、データ制御バス１２４を介して、ホストであるコンピュータとの通信を行うインタフェースであって、読み取られた画像データを外部に送出するとともに、外部からの制御情報を受け取ってＣＰＵ１２１に通知する。利用者情報入力部１０７は、画像読取装置２０を利用する操作者が使用するＩＤカード１５０に登録された情報を読み込むためのカードリーダである。ここではカードリーダの例を挙げたが、使用するＩＤカードの代替えとなる利用者識別情報記録媒体から利用者識別情報が読み出せるものであるならば、カードリーダでなくても良い。例えば、利用者識別情報記線媒体がＵＳＢメモリであるならば、ここはＵＳＢメモリリーダとなる。
【００４７】
液晶パネル１１２は、ＣＰＵ１２１に接続され、ＣＰＵ１２１の指示によってスキャナの状態や設定等の表示を行う。キースイッチ１１１は、ＣＰＵ１２１に接続され各スイッチの状態を通知する。画像情報読取部１０５は、光源である冷陰極管１２６と、ＣＰＵ１２１の制御に基づいて冷陰極管を点灯させる為の冷陰極管点灯回路１２７と、原稿から反射した光を集光して光電変換するＣＣＤイメージセンサ１２８で構成される。Ａ／Ｄコンバータ１２９は、光電変換された画像電圧信号を、デジタルデータに変換する。画像処理部１０６は、Ａ／Ｄコンバータ１２９によりデジタルデータに変換されたものに対して受光素子のビット補正処理やガンマ補正などの画像処理を行う。モータ駆動回路１３１は、ＣＰＵ１２１から制御されて、モータ１３０を駆動するもので、モータ１３０の回転により画像情報読取部１０５が原稿に沿って動き、原稿全面を光電変換して画像データを得る様に構成されている。モデム部２０２は、画像処理されたデジタルデータをアナログ信号に変換する。ＮＣＵ（Network Contorol Unit）部２０３は、送信画像情報作成部であるモデム部でアナログ信号に変換された信号を電話回線に接続するための回路である。
【００４８】
図７は、第２の実施形態の画像読取装置２０によるファクシミリ送信動作を説明するための動作フローチャートである。この画像読取装置２０によるファクシミリの送信動作について、動作フローチャート図７と機能ブロック構成図である図５とを用いて説明する。予め、ＩＤカード１５０には図１０のように利用者ＩＤ番号とパスワードと操作者のＴＳＩ情報が書き込まれているものを使用する。ここでいうＴＳＩ情報は、発信元情報又は伝送加入者情報である。
【００４９】
はじめに、制御部２４０は、利用者情報入力部１０７にＩＤカード１５０がセットされたか否かを判定する（ステップＳ２０１）。利用者情報入力部１０７にＩＤカード１５０がセットされている場合（Yes）は、ＩＤカード１５０から利用者ＩＤ番号とパスワード情報と操作者のＴＳＩ情報からなる利用者識別情報を読み込む（ステップＳ２０２：識別情報取り込み機能）。
【００５０】
次に、判別部１０１は、読み込んだ利用者識別情報が利用者識別情報記憶部１０４に既に登録されているか否かを判別部１０１にて判別する（ステップＳ２０３：判別機能）。利用者識別情報記憶部１０４に登録されていない利用者識別情報であった場合（No）は、利用者識別情報記憶部１０４に、利用者情報入力部１０７から読み込んだＩＤカード１５０からの利用者ＩＤ番号とパスワードと操作者のＴＳＩ情報からなる利用者識別情報を登録する（ステップＳ２０４：利用者情報記憶機能）。また、利用者識別情報記憶部１０４に登録されている利用者識別情報であった場合(Yes)は、利用者識別情報記憶部１０４に対して追加登録は行わない（ステップＳ２０５）。
【００５１】
次に、判別部１０は、操作パネル部１１０から送信先の宛て先が入力されて、操作パネル部１１０にあるスタートボタンが押下されたか否かを確認する（ステップＳ２０６）。操作パネル部１１０から送信先の宛て先が入力されて、操作パネル部１１０にあるスタートボタンが押下される（Yes）と、画像読取部１０５にて、原稿載置台１３５上に載置された原稿を読み込む読取動作がスタートする（ステップＳ２０７：画像情報取り込み機能）。
【００５２】
以下にこのときの読取動作を図３と図６とを用いて説明する。
ＣＰＵ１２１は、モータ駆動回路１３１にモータ１３０の駆動を指示してモータ１３０を回転させ、画像情報読取部１０５を原稿載置台１３５に沿って動かす。これにより、原稿載置台１３５上にある原稿の画像は、ＣＣＤイメージセンサ１２８によって順次走査され、所定の位置まで画像情報読取部１０５を動かすことによって原稿の全面の画像が読み取られる。
【００５３】
画像読取動作は、ＣＰＵ１２１が冷陰極管点灯回路１２７に冷陰極管１２６の点灯を指示し、冷陰極管１２６を点灯させると共に、画像処理部１０６に処理の開始を指示することで開始される。冷陰極管１２６が点灯されると、発生した光は原稿載置台上に載置された原稿に照射され、原稿面から反射した光が、画像情報読取部１０５内の図示しない鏡面によって反射された後、図示しないレンズによりＣＣＤイメージセンサ１２８に集光されて、光電変換される。
【００５４】
画像処理部１０６は、ＣＰＵ１２１により処理の開始を指示されると、Ａ／Ｄコンバータ１２９とＣＣＤイメージセンサ１２８に起動をかけ、ＣＣＤイメージセンサ１２８は、受光した光量によって電圧を発生させ、Ａ／Ｄコンバータ１２９はＣＣＤイメージセンサ１２８から受け取った電圧をデジタル値に変換する。デジタル値に変換された画像データは、画像処理部１０６においてビット補正等の所定の画像処理が行われる。以上が読取動作である。
【００５５】
読取動作が終了した後、制御部１０２により前記読取動作で処理された画像データにＴＳＩ情報を埋め込む。これには、利用者ＩＤカード１５０から読み取った識別情報に対応する操作者のＴＳＩ情報を利用者識別情報記憶部１０４から読み出し、画像データに埋め込むことができるデータに変換して追加し、操作者のＴＳＩ情報が追加された画像データをモデム部２０２にてファクシミリ送信できる信号に変換し（画像情報変換機能）、その後でＮＣＵ部２０３で電話回線を制御してファクシミリ送信を行う。ファクシミリ送信方法については、ＩＴＵ−Ｔの勧告に従った方法で送信する（ステップＳ２０８：送信機能）。
【００５６】
ステップＳ２０１で利用者情報入力部１０７にＩＤカード１５０がセットされていない場合（No）は、操作パネルから利用者ＩＤ番号とパスワードが入力されたか否かを確認する（ステップＳ２０９）。ステップＳ２０９で利用者ＩＤ番号とパスワードが入力された場合（有）は、入力された利用者ＩＤ番号とパスワードに対応する利用者識別情報が利用者識別情報記憶部１０４に記憶されているか否かを判別部１０１にて判別する（ステップＳ２１０：判別機能）。入力されたＩＤ番号とパスワードが利用者識別情報記憶部１０４に記憶されている利用者識別情報のデータと一致した場合（有）は、操作パネル部１１０から送信先の宛て先が入力されて、操作パネル部１１０にあるスタートボタンが押下されたかどうかを確認する（ステップＳ２１４）。操作パネル部１１０から送信先の宛て先が入力されて、操作パネル部１１０にあるスタートポタンが押下される（Yes）と、画像読取部１０５にて、原稿載置台１３５上に載置された原稿を読み込む読取動作をスタートする（ステップＳ２１５：画像情報取り込み機能）。なお、原稿を読み込む読取動作は前記の図３と図６を用いて説明している動作と同様のため、ここでは説明を省略する。
【００５７】
読取動作が終了した後、主制御部１０２により前記読取動作で処理された画像データにＴＳＩ情報を埋め込む。これには、利用者ＩＤカード１５０から読み取った識別情報に対応する操作者のＴＳＩ情報を利用者識別情報記憶部１０４から読み出し、画像データに埋め込めるデータに変換して追加し、操作者のＴＳＩ情報が追加された画像データをモデム部２０２にてファクシミリ送信できる信号に変換し、その後でＮＣＵ部２０３で電話回線を制御してファクシミリ送信を行う。ファクシミリ送信方法については、ＩＴＵ−Ｔの勧告に従った方法で送信する（ステップＳ２１６：送信機能）。
【００５８】
一方、ステップＳ２０９で利用者ＩＤとパスワードとが入力されていない場合（無）は、操作パネル部１１０から送信先の宛て先が入力されて、操作パネル部１１０にあるスタートボタンが押下されたかを否かを確認する（ステップＳ２１１）。操作パネル部１１０から送信先の宛て先が入力されて、操作パネル部１１０にあるスタートボタンが押下される（Yes）と、画像情報読取部１０５にて、原稿載置台１３５上に載置された原稿を読み込む読取動作がスタートする（ステップＳ２１２：画像情報取り込み機能）。原稿を読み込む読取動作は前記の図３と図６を用いて説明している動作と同様のため、ここでは説明を省略する。
【００５９】
読取動作が終了した後、主制御部１０２により上記読取動作で処理された画像データにデフォルトで登録してある利用者ＴＳＩ情報を利用者識別情報記憶部１０４より読み出し、読み出したした操作者のＴＳＩ情報を画像データに変換して追加し、操作者のＴＳＩ情報を追加した画像データをモデム部２０２にてファクシミリ送信できる信号に変換し、ＮＣＵ部２０３にて電話回線を制御しファクシミリ送信を行なう。ファクシミリ送信は、ＩＴＵ−Ｔの勧告に従った方法で送信して終了する（ステップＳ２１３：送信機能）。
【００６０】
また、ステップＳ２１０で入力された利用者ＩＤ番号に対応する利用者識別情報が利用者識別情報記憶部１０４にない場合（無）は、ステップＳ２１１に進み、以降、前記説明したと同様の処理が行われる。                                                    
【００６１】
この第２の実施形態の画像読取装置２０によれば、画像情報読取部１０５で読み取った画像情報をファクシミリ形式に変換し、利用者識別情報記憶部１０４に登録されている操作者のＴＳＩ情報を付与して送信することができるので、受信側で送信元の操作者を識別することができる効果を奏する。
【００６２】
（第３の実施形態）
次に、本発明の第３の実施形態について説明する。
図１１は、本発明の第３の実施形態の画像読取装置３０の機能ブロック構成図である。また、図１２に本実施の形態の画像読取装置３０のハードウェアのブロック構成を示す。本実施形態の画像読取装置３０が第１の実施形態の画像読取装置１０と異なる点は、図１に示されるようなＩＤカード等の記憶手段から利用者情報を読み込む利用者情報入力部１０７に相当するものを備えていない点である。それに替えて利用者情報を画像情報読取部１０５で読み取った画像上の文字情報からＯＣＲ手段３０１で認識する。
【００６３】
図１１に示すように、本実施形態の画像読取装置３０は、原稿をスキャンして画像情報を読み取る画像情報読取部１０５、画像情報読取部１０５で読み取った画像情報に所定の画像処理を行う画像処理部１０６、原稿の画像情報の所定位置に記載されている文字情報を認識して利用者識別情報又はその一部を読み取るＯＣＲ手段３０１、利用者識別情報を記憶する利用者識別情報記憶部１０４、読み取った識別情報がすでに利用者識別情報記憶部１０４に記憶されているか否かを判定する判別部１０１、読取動作で処理された画像データを送信画像情報作成部であるメール作成部１０３で電子メールとして送付できるデータに変換する。
【００６４】
そして、利用者識別情報記憶部１０４から電子メールアドレスを読み出して電子メールに付与させる主制御部１０２、電子メールを作成する送信画像情報作成部であるメール作成部１０３、ホストであるコンピュータとの通信を行うインタフェースであって、作成された電子メールを外部に送出すると共に、外部からの制御情報を受け取るＬＡＮに接続するＬＡＮＩ／Ｆ１０９、画像読取装置３０の操作を行う操作パネル部１１０で構成される。ＬＡＮＩ／Ｆ１０９はＵＳＢＩ／Ｆであっても良い。
【００６５】
これらのうち、画像情報読取部１０５、画像処理部１０６、利用者識別情報記憶部１０４、判別部１０１、主制御部１０２、送信画像情報作成部であるメール作成部１０３、ＬＡＮＩ／Ｆ１０９、操作パネル部１１０の機能は前記説明した実施形態と同等である。判別部１０１、主制御部１０２及び送信画像情報作成部であるメール作成部１０３は、ＲＯＭ１２２に記憶されたプログラムによって駆動され、ＣＰＵ１２１にて制御される。利用者識別情報記憶部１０４は、ＣＰＵ１２１にて制御され、ＲＡＭ１２３内に記憶される。
【００６６】
図１２に示す本実施の形態の画像読取装置３０のハードウェアは、ＣＰＵ１２１、ＲＯＭ１２２、ＲＡＭ１２３、データ制御バス１２４、ＬＡＮＩ／Ｆ１０９、ＵＳＢＩ／Ｆ１２５、画像処理部１０６、Ａ／Ｄコンバータ１２９、画像情報読取部１０５、モータ駆動回路１３１、モータ１３０、操作パネル部１１０、ＯＣＲ手段３０１で構成されている。なお、ＯＣＲ手段３０１を除く各ブロックは、図２に添って第１の実施形態で説明したものとほぼ同一の機能、動作を行う。
【００６７】
図１３に、本実施形態による電子メールの送信動作の動作フローチャートである。本実施形態の電子メールの送信動作を、図１２と図１３とを用いて説明する。操作パネル部１１０から送信先の宛て先が入力されて、操作パネル部１１０にあるスタートボタンが押下されたか否かを確認する（ステップＳ３０１）。操作パネル部１１０から送信先の宛て先が入力されて、操作パネル部１１０にあるスタートボタンが押下される（Yes）と、画像情報読取部１０５にて、原稿載置台１３５上に載置された原稿を読み込む読取動作がスタートする（ステップＳ３０２：画像情報取り込み機能）。なお、読取動作は、第１の実施形態において、図２及び図３を参照して説明した動作と同様のため、ここでは詳しい説明を省略する。
【００６８】
次いで、画像情報読取部１０５で読み取った原稿の画像情報中の所定の位置に記載されている文字情報から利用者識別情報をＯＣＲ手段３０１とＣＰＵ１２１の働きで認識する（ステップＳ３０３：識別情報取り込み機能）。原稿の所定の位置には、活字文字で利用者ＩＤ番号とパスワードと操作者の電子メールアドレスからなる利用者識別情報又はその利用者識別情報の一部が記述されているものとする。利用者識別情報は通常英数字で表されるので、原稿上の利用者識別情報は文字の汚れや脱字が無い限りＯＣＲ手段３０１によってほぼ正しく認識することができる。
【００６９】
次に、判別部１０１で読み取った識別情報がすでに利用者識別情報記憶部１０４に登録されているか否かを判定する（ステップＳ３０４：判別機能）。利用者識別情報記憶部１０４に登録されていない利用者識別情報であった場合（No）は、利用者識別情報記憶部１０４に、ＯＣＲ手段３０１によって認識された利用者ＩＤ番号とパスワードと操作者のＴＳＩ情報からなる利用者識別情報を識別情報記憶部１０４に登録する（ステップＳ３０５：利用者識別情報記憶機能）。識別情報が利用者識別情報記憶部１０４にすでに登録されている場合（Yes）は、識別情報の修正でない限り識別情報記憶部１０４に対して追加登録は行わない。
【００７０】
続いて読取動作で処理された画像データを送信画像情報作成部であるメール作成部１０３にて電子メールで送付できるデータに変換する（画像情報変換機能）。そして送信元として付加する情報としてＯＣＲ手段３０１によって認識され利用者識別情報記憶部１０４に記憶された利用者識別情報中の電子メールアドレスを読み出して送信元アドレスに設定して電子メールを送信する（ステップＳ３０６：送信機能）。なお、電子メールの送信は、先に第１の実施形態で説明したと同様の処理によって行われるのでここでは詳しい説明は省略する。
【００７１】
この実施形態の画像読取装置３０によれば、画像情報読取部１０５で読み取った画像情報を電子メール形式に変換し、さらにこの画像情報に含まれる文字情報からＯＣＲ手段３０１によって利用者識別情報を認識して利用者識別情報記憶部１０４に登録し、登録されている利用者識別情報から操作者の電子メールアドレスを読み出して変換した画像情報に付与して送信することができる。これにより、利用者情報入力部１０７を設けることなく、利用者識別情報を入力でき、画像情報の送信が容易で、受信側で送信元の操作者を識別することができる効果を奏する画像読取装置３０を実現することができる。
【００７２】
（変形例）
本発明は、前記の各実施形態に限られるものではなく、さまざまな変形が可能である。例えば、第３の実施形態で、画像情報を電子メールで送信する場合で説明したが、第２の実施形態のようにファクシミリ形式で送信するようにすることも可能である。
【００７３】
また、第３の実施形態では原稿に書かれている文字情報をＯＣＲ手段３０１によって認識していたが、利用者識別情報を１次元又は２次元のバーコードで原稿に記載し、これを画像情報読取部１０５に設けられたバーコードリーダで読み取って認識するようにすることも可能である。
【００７４】
これらの変形例においても、前記の実施形態と同様に、受信側で送信元の操作者を識別することができる効果を奏する画像読取装置を実現することができる。
【図面の簡単な説明】
【００７５】
【図１】本発明の第１の実施形態の画像読取装置の機能ブロック構成図である。
【図２】第１の実施形態の画像読取装置のハードウェアのブロック構成図である。
【図３】第１の実施形態の画像読取装置の外観図である。
【図４】第１の実施形態の画像読取装置による電子メールの送信動作を説明するための動作フローチャートである。
【図５】本発明の第２の実施形態の画像読取装置の機能ブロック構成図である。
【図６】第２の実施形態の画像読取装置のハードウェアのブロック構成図である。
【図７】第２の実施形態の画像読取装置によるファクシミリ送信動作を説明するための動作フローチャートである。
【図８】本発明の第１の実施形態の画像読取装置におけるＩＤカードに書き込まれた利用者識別情報の形態を示す図表である。
【図９】第１の実施形態の画像読取装置における電子メールのヘッダフォーマットを示す図表である。
【図１０】本発明の第２の実施形態の画像読取装置におけるＩＤカードに書き込まれた利用者識別情報の形態を示す図表である。
【図１１】本発明の第３の実施形態の画像読取装置の機能ブロック構成図である。
【図１２】第３の実施形態の画像読取装置のハードウェアのブロック構成図である。
【図１３】第３の実施形態の画像読取装置による電子メールの送信動作を説明するための動作フローチャートである。
【符号の説明】
【００７６】
１０、２０、３０  画像読取装置
１０１  判別部
１０２  主制御部
１０３  メール作成部（送信画像情報作成部）
１０４  利用者識別情報記憶部
１０５  画像情報読取部
１０６  画像処理部
１０７  利用者情報入力部
１０９  ＬＡＮＩ／Ｆ
１１０  操作パネル部
１１１  キースイッチ
１１２  液晶パネル
１２１  ＣＰＵ
１２２  ＲＯＭ
１２３  ＲＡＭ
１２４  データ制御バス
１２５  ＵＳＢＩ／Ｆ
１２６  冷陰極管
１２７  例陰極管点灯回路
１２８  ＣＣＤイメージセンサ
１２９  Ａ／Ｄコンバータ
１３０  モータ
１３１  モータ駆動回路
１４０、２４０、３４０  制御部
２０１  ＴＳＩ埋込部
２０２  モデム部
２０３  ＮＣＵ部
３０１  ＯＣＲ手段
【図１】
2010114715.tif 000003
【図２】
2010114715.tif 000004
【図３】
2010114715.tif 000005
【図４】
2010114715.tif 000006
【図５】
2010114715.tif 000007
【図６】
2010114715.tif 000008
【図７】
2010114715.tif 000009
【図８】
2010114715.tif 000010
【図９】
2010114715.tif 000011
【図１０】
2010114715.tif 000012
【図１１】
2010114715.tif 000013
【図１２】
2010114715.tif 000014
【図１３】
2010114715.tif 000015